(57)【要約】【課題】ディスク記録再生装置において、コピーに対する対価が支払われると暗号化コンテンツを解読出来るようにする。【解決手段】ディスク９から第１の暗号キーとコンテンツと第３の暗号キーを読み出す機能を有するディスクコントローラ５と、ディスク１０からメディアＩＤを読み出す機能と暗号化されたコンテンツを書込む機能を有するディスクコントローラ６と、メディアＩＤと第１の暗号キーを用いて第２の暗号キーを生成する第２の暗号キー生成器１と、ディスク９から再生されたコンテンツを第２の暗号キーを用いて暗号化するコンテンツ暗号器２と、第１の暗号キーとコピー情報を第３の暗号キーを用いて暗号化する手段７、８と、暗号化した第１の暗号キーとコピー情報をディスク１０に記録できないようにロックしてディスク１０以外の他の記録媒体４に記録するＩＣカードコントローラ３を備えたディスク記録再生装置。【選択図】図１
2004318943.tif 000002
【特許請求の範囲】
【請求項１】
ソース側ディスクに記録されているデジタルコンテンツをターゲット側ディスクにコピーするディスク記録再生装置であって、
ディスク固有のディスク識別情報をターゲット側ディスクから読み出す手段と、コピーするコンテンツに対応した第１の暗号キーをソース側ディスクから読み出す手段と、
少なくとも前記ディスク識別情報と前記第１の暗号キーを用いて第２の暗号キーを生成する手段と、
前記ソース側ディスクから再生されたデジタルコンテンツを前記第２の暗号キーを用いて暗号化してターゲット側ディスクに記録する手段を備え、
前記第１の暗号キーを、コピーされたコンテンツを特定するための情報と共に、ターゲット側ディスク以外の他の記録媒体に、ターゲット側ディスクに記録できないようにロックしたかたちで記録する事を特徴としたディスク記録再生装置。
【請求項２】
請求項１に記載の第１の暗号キーをターゲット側ディスク以外の他の記録媒体に記録する際、第１の暗号キーの不正読み出しを防止するためにソース側ディスクから読み出した第３の暗号キーで暗号化する事を特徴とした、請求項１に記載のディスク記録再生装置。
【請求項３】
請求項１に記載のコピーされたコンテンツを特定するための情報をターゲット側ディスク以外の他の記録媒体に記録する際、前記情報の改ざんを防止するためにソース側ディスクから読み出した第３の暗号キーで暗号化する事を特徴とした、請求項１に記載のディスク記録再生装置。
【請求項４】
前記ターゲット側ディスク以外の他の記録媒体は、情報を記録可能なカードであり、カードに記録された第１の暗号キーは、コピーに対する対価が支払われた後に暗号及びロックが解除され、ターゲット側ディスクに記録可能となる事を特徴とした、請求項１乃至請求項３に記載のディスク記録再生装置。
【請求項５】
前記ターゲット側ディスク以外の他の記録媒体は、ソース側ディスクであり、ソース側ディスクに記録された第１の暗号キーは、コピーに対する対価が支払われた後に暗号及びロックが解除されてその内容が顧客に開示され、ターゲット側ディスクに記録可能となる事を特徴とした、請求項１乃至請求項３に記載のディスク記録再生装置。
【請求項６】
前記ターゲット側ディスクに記録されたコンテンツをコピーに対する対価の支払い前に再生確認するディスク再生装置であって、
ディスク固有のディスク識別情報をターゲット側ディスクから読み出す手段と、再生するコンテンツに対応した第１の暗号キーをソース側ディスクから読み出す手段と、
少なくとも前記ディスク識別情報と前記第１の暗号キーを用いて第２の暗号キーを生成する手段と、
前記ターゲット側ディスクから再生された暗号化コンテンツを前記第２の暗号キーを用いて復号化する手段を備える事を特徴としたディスク再生装置。
【請求項７】
ソース側ディスクに記録されているデジタルコンテンツをターゲット側ディスクにコピーするディスク記録再生装置であって、
ディスク固有のディスク識別情報をターゲット側ディスクから読み出す手段と、コピーするコンテンツに対応した第１の暗号キーをソース側ディスクから読み出す手段と、
少なくとも前記ディスク識別情報と前記第１の暗号キーを用いて第２の暗号キーを生成する手段と、
前記ソース側ディスクから再生されたコンテンツを前記第２の暗号キーを用いて暗号化してターゲット側ディスクに記録する手段と、
前記コピーされたコンテンツのコピー料金を計算し、顧客が予め料金を支払って購入したプリペイドカードから差し引く手段と、
前記第１の暗号キーをターゲット側ディスクに記録する手段を備え、
前記第１の暗号キーは、プリペイドカードからコピー料金を差し引いた後にターゲット側ディスクに記録する事を特徴としたディスク記録再生装置。
【請求項８】
前記ターゲット側ディスクに記録されたコンテンツをコピーに対する対価の支払い後に再生するディスク再生装置であって、
ディスク固有のディスク識別情報をターゲット側ディスクから読み出す手段と、再生するコンテンツに対応した第１の暗号キーをターゲット側ディスクから読み出す手段と、
少なくとも前記ディスク識別情報と前記第１の暗号キーを用いて第２の暗号キーを生成する手段と、
前記ターゲット側ディスクから再生された暗号化コンテンツを前記第２の暗号キーを用いて復号化する手段を備える事を特徴としたディスク再生装置。
【発明の詳細な説明】
【０００１】
【発明の属する技術分野】
本発明は、ディスクに記録されているデジタルコンテンツをコピーした際、正当な対価を支払わなければコピーしたコンテンツの再生が出来ないようにする著作権保護を考慮したディスク記録再生装置に関する。
【従来の技術】
従来、ディスクに記録されたデジタルコンテンツの著作権を保護する方法として、ＤＶＤで用いられているＣＳＳ（Ｃｏｎｔｅｎｔｓ  ＳｃｒａｍｂｌｉｎｇＳｙｓｔｅｍ）がある。
【０００２】
この方式は、Ｍａｓｔｅｒ  Ｋｅｙを管理する管理機構から正式に認証を受けた再生装置のみに与えられるＭａｓｔｅｒ  Ｋｅｙと、ＰＣ等の論理ファイルシステムからは参照することが出来ない領域に記録されているＤｉｓｃ  Ｋｅｙ及びＴｉｔｌｅ  Ｋｅｙの３つのキーを用いてコンテンツを暗号化することで、認証を受けていない再生装置やＰＣを用いての不正コピーを防止している。
【０００３】
また、ディスク媒体上の所定部位にピックアップから発せられるレーザー光を受けて微弱電力を発生して動作するＩＤチップを埋め込んで、そのＩＤチップにコピーの可否、コピー許可回数等の複製権情報を書き込んでおき、ソース側のＩＤとターゲット側のＩＤが共に複製許可の場合のみコピーが実行されるような著作権保護技術が開示されている（特許文献１参照）。
【０００４】
また、ディスク等のデジタルコンテンツに付加されている課金情報に基づいて、コピーに対する対価の支払い要求がなされ、対価の支払いの有無によりコピー制御情報を更新してデジタルコンテンツをコピーする方法が開示されている（特許文献２参照）。
【０００５】
【特許文献１】
特開２００２−１７５６６３号公報
【特許文献２】
特開２０００−３０６００４号公報
【０００６】
【発明が解決しようとする課題】
ＤＶＤで用いられているＣＳＳは、不正なコピーを防止する上では有効な方法だが、正当な対価を支払った上でコピーするといった用途は想定されていないため、一般ユーザーがＣＳＳで著作権保護されたディスクを正当な対価を支払った上で合法的にコピーすることが出来ないという課題があった。
【０００７】
また、特許文献１のようにＩＤチップを用いる方法では、ソース側とターゲット側の双方にＩＤチップを埋め込んだディスクが必要となり、コスト的に有利なＩＤチップの無い普通のディスクへのコピーが出来ないという課題があった。
【０００８】
また、特許文献２のような方法は、対価の支払いを管理する課金センターとネットワークでリアルタイムに接続されている必要があり、しかもネットワーク上で支払いの決済を行うための口座等を開設しておく必要がある。また、このような電子決済に不安を抱くユーザーは利用しずらいという課題があった。
【０００９】
【課題を解決するための手段】
本発明に係るディスク記録再生装置は、ソース側ディスクに記録されているデジタルコンテンツをターゲット側ディスクにコピーする際、
ディスク固有のディスク識別情報をターゲット側ディスクから読み出す手段と、コピーするコンテンツに対応した第１の暗号キーをソース側ディスクから読み出す手段と、
少なくとも前記ディスク識別情報と前記第１の暗号キーを用いて第２の暗号キーを生成する手段と、
前記ソース側ディスクから再生されたデジタルコンテンツを前記第２の暗号キーを用いて暗号化してターゲット側ディスクに記録する手段を備え、
前記第１の暗号キーを、コピーされたコンテンツを特定するための情報と共に、ターゲット側ディスク以外の他の記録媒体に、ターゲット側ディスクに記録できないようにロックしたかたちで記録する事を特徴とする。
【００１０】
また、前記第１の暗号キーをターゲット側ディスク以外の他の記録媒体に記録する際、第１の暗号キーの不正読み出しを防止するためにソース側ディスクから読み出した第３の暗号キーで暗号化する事を特徴とする。
【００１１】
また、前記コピーされたコンテンツを特定するための情報をターゲット側ディスク以外の他の記録媒体に記録する際、前記情報の改ざんを防止するためにソース側ディスクから読み出した第３の暗号キーで暗号化する事を特徴とする。
【００１２】
また、前記ターゲット側ディスク以外の他の記録媒体は、情報を記録可能なカードであり、カードに記録された第１の暗号キーは、コピーに対する対価が支払われた後に暗号及びロックが解除され、ターゲット側ディスクに記録可能となる事を特徴とする。
【００１３】
また、前記ターゲット側ディスク以外の他の記録媒体は、ソース側ディスクであり、ソース側ディスクに記録された第１の暗号キーは、コピーに対する対価が支払われた後に暗号及びロックが解除されてその内容が顧客に開示され、ターゲット側ディスクに記録可能となる事を特徴とする。
【００１４】
また、前記ターゲット側ディスクに記録されたコンテンツをコピーに対する対価の支払い前に再生確認する際、
ディスク固有のディスク識別情報をターゲット側ディスクから読み出す手段と、再生するコンテンツに対応した第１の暗号キーをソース側ディスクから読み出す手段と、
少なくとも前記ディスク識別情報と前記第１の暗号キーを用いて第２の暗号キーを生成する手段と、
前記ターゲット側ディスクから再生された暗号化コンテンツを前記第２の暗号キーを用いて復号化する手段を備える事を特徴とする。
【００１５】
また、本発明に係るディスク記録再生装置は、ソース側ディスクに記録されているデジタルコンテンツをターゲット側ディスクにコピーする際、
ディスク固有のディスク識別情報をターゲット側ディスクから読み出す手段と、コピーするコンテンツに対応した第１の暗号キーをソース側ディスクから読み出す手段と、
少なくとも前記ディスク識別情報と前記第１の暗号キーを用いて第２の暗号キーを生成する手段と、
前記ソース側ディスクから再生されたコンテンツを前記第２の暗号キーを用いて暗号化してターゲット側ディスクに記録する手段と、
前記コピーされたコンテンツのコピー料金を計算し、顧客が予め料金を支払って購入したプリペイドカードから差し引く手段と、
前記第１の暗号キーをターゲット側ディスクに記録する手段を備え、
前記第１の暗号キーは、プリペイドカードからコピー料金を差し引いた後にターゲット側ディスクに記録する事を特徴とする。
【００１６】
また、前記ターゲット側ディスクに記録されたコンテンツをコピーに対する対価の支払い後に再生する際、
ディスク固有のディスク識別情報をターゲット側ディスクから読み出す手段と、再生するコンテンツに対応した第１の暗号キーをターゲット側ディスクから読み出す手段と、
少なくとも前記ディスク識別情報と前記第１の暗号キーを用いて第２の暗号キーを生成する手段と、
前記ターゲット側ディスクから再生された暗号化コンテンツを前記第２の暗号キーを用いて復号化する手段を備える事を特徴とする。
【００１７】
【発明の実施の形態】
以下、図面を参照しながら本発明の実施の形態を説明する。
【００１８】
本発明にかかるディスク記録再生装置の第１の実施形態におけるコピー時のブロック図を図１に、フローチャートを図２にそれぞれ示す。
【００１９】
ソース側ディスク９からターゲット側ディスク１０へコンテンツをコピーする場合のディスク記録再生装置の構成例を、図１を用いて説明する。コピーを実行するディスク記録再生装置は、第２の暗号キー生成器１と、コンテンツ暗合器２と、ＩＣカードコントローラ３と、ＩＣカード４と、ソース側ディスクコントローラ５と、ターゲット側ディスクコントローラ６と、キー暗号器７と、コピー情報暗号器８と、ホストコントローラ１５とを有している。
【００２０】
ホストコントローラ１５は、システム全体を制御するもので、以下の説明における各ブロックの動作は全てホストコントローラの指示によるものとする。
【００２１】
ソース側ディスクコントローラ５は、ソース側ディスク９から、コピーするコンテンツに対応した第１の暗号キーを読み出す機能を実現する手段と、コピーするデジタルコンテンツを再生する機能を実現する手段と、第３の暗号キーを読み出す機能を実現する手段とを有している。
【００２２】
ターゲット側ディスクコントローラ６は、ターゲット側ディスク１０から、ディスク固有のディスク識別情報（メディアＩＤ）を読み出す機能を実現する手段と、第２の暗号キーを用いて暗号化されたディジタルコンテンツをターゲット側ディスクに記録する機能を実現する手段と、暗号化ディジタルコンテンツをターゲット側ディスクから読み出す機能を実現する手段を有している。
【００２３】
第２の暗号キー生成器１は、ディスク識別情報と第１の暗号キーを用いて第２の暗号キーを生成する働きを有している。
【００２４】
コンテンツ暗号器２は、ソース側ディスク９から再生されたデジタルコンテンツを第２の暗号キーを用いて暗号化する機能を有している。
【００２５】
キー暗号器７およびコピー情報暗号器８は、第１の暗号キーを、コピーされたコンテンツを特定するための情報（コピー情報）と共に、ターゲット側ディスク以外の他の記録媒体（例えば、ＩＣカード４）に、ターゲット側ディスクに記録できないようにロックしたかたちで記録する手段を構成する。
【００２６】
キー暗号器７は、第１の暗号キーを第３の暗号キーを用いて暗号化する機能を有している。
【００２７】
コピー情報暗号器８は、コピーされたコンテンツを特定するための情報（コピー情報）を第３の暗号キーを用いて暗号化する機能を有している。
【００２８】
ＩＣカードコントローラ３は、ターゲット側ディスク以外の他の記録媒体として働くＩＣカードの書き込み読み出しを制御する手段である。
【００２９】
ＩＣカード４は、ターゲット側ディスク以外の他の記録媒体として働き、暗号化された第１の暗号キーと、暗号化されたコピー情報を記録する手段であり、例えばＩＣカードで構成される。ターゲット側ディスク以外の記録媒体としては、ディスク記録再生装置から取り外し可能な記録媒体であってよく、ＩＣカード以外の他の記録媒体を用いることができる。
【００３０】
図２を用いて、コピー時の動作を説明する。ターゲット側のディスクコントローラ６は、ターゲット側ディスク１０からディスク固有のディスク識別情報（以下、メディアＩＤという）を読み出し、第２の暗号キー生成器１に供給する（ステップＳ１）。
【００３１】
ソース側のディスクコントローラ５は、ソース側ディスク９からコピーするコンテンツに対応した第１の暗号キーを読み出し、第２の暗号キー生成器１に供給する（ステップＳ２）。ここで読み出される第１の暗号キーは、コンテンツ固有のものでありコンテンツ毎に第１の暗号キーは異なる。
【００３２】
第２の暗号キー生成器１では、供給されたメディアＩＤと第１の暗号キーを用いて第２の暗号キーを生成してコンテンツ暗号器２に供給する（ステップＳ３）。
【００３３】
ソース側ディスク９から再生されたコンテンツは、コンテンツ暗号器２で第２の暗号キーを用いて暗号化され、ターゲット側ディスク１０に記録される（ステップＳ４）。
【００３４】
次に、ソース側ディスクコントローラ５は、ソース側ディスク９から第３の暗号キーを読み出す（ステップＳ５）。
【００３５】
読み出された第３の暗号キーは、キー暗号器７及びコピー情報暗号器８に供給される。
【００３６】
キー暗号器７では、第１の暗号キーを第３の暗号キーを用いて暗号化し（ステップＳ６）、暗号化された第１の暗号キーはＩＣカードコントローラ３を介してＩＣカード４に記録される（ステップＳ７）。
【００３７】
一方、ステップＳ４で記録されたコンテンツの情報として例えばそのコンテンツのタイトル名等、コピー料金を集計するために必要なコピー情報が、コピー情報暗号器８で第３の暗号キーを用いて暗号化され（ステップＳ８）、ＩＣカードコントローラ３を介してＩＣカード４に記録される（ステップＳ９）。
【００３８】
ここで、ステップＳ６及びステップＳ８において第１の暗号キーとコピー情報を、第３の暗号キーを用いて暗号化しているが、これはカードに記録されている第１の暗号キーの不正読み出しやコピー情報の改ざんを防止するためで、カード側のセキュリティーが信頼できれば省略しても構わない。
【００３９】
また、ＩＣカード４に記録された第１の暗号キーはこの時点ではターゲット側ディスクに書き込まれないようにロックがかけられている。
【００４０】
次に、他にコピーするコンテンツの有無を確認し（ステップＳ１０）、他にコピーするコンテンツがあればステップＳ２に戻り、無ければ終了となる。
【００４１】
次に、第１の実施形態でコピーされたコンテンツが正しく記録されているかをコピー料金を支払う前に確認する方法について図３及び図４を用いて説明する。この方法を実施するためには、ディスク記録再生装置は、ソース側ディスクコントローラ５と、ターゲット側ディスクコントローラ６と、第２の暗号キー生成器１３と、コンテンツ復号器１４と、ホストコントローラ１５を有している。
【００４２】
ソース側ディスクコントローラ５は、再生情報に基づいてソース側ディスク９から第１の暗号キーを読み出す機能を有している。
【００４３】
ターゲット側ディスクコントローラ６は、ターゲット側ディスク１０からメディアＩＤと暗号化されたディジタルコンテンツを再生する機能を有している。
【００４４】
第２の暗号キー生成器１３は、第１の暗号キーとメディアＩＤを用いて第２の暗号キーを生成する機能を有している。
【００４５】
コンテンツ復号器１４は、ターゲット側ディスク９から再生した暗号化ディジタルコンテンツを第２の暗号キーを用いて復号化する機能を有している。
【００４６】
図４に示すように、ターゲット側ディスクコントローラ６は、ターゲット側ディスク１０からディスク固有のメディアＩＤを読み出し、第２の暗号キー生成器１３に供給する（ステップＳ２０）。
【００４７】
ホストコントローラ１５は、ターゲット側ディスク１０で再生するコンテンツを特定するための再生情報をソース側ディスクコントローラ５に供給する（ステップＳ２１）。
【００４８】
ソース側ディスクコントローラ５は、再生情報に基づいて再生するコンテンツに対応した第１の暗号キーをソース側ディスク９から読み出し、第２の暗号キー生成器１３に供給する（ステップＳ２２）。
【００４９】
第２の暗号キー生成器１３では、供給されたメディアＩＤと第１の暗号キーを用いて第２の暗号キーを生成してコンテンツ復号器１４に供給する（ステップＳ２３）。
【００５０】
ターゲット側ディスク１０から再生されたコンテンツは、コンテンツ復号器１４で第２の暗号キーを用いて復号化されてモニタ等に出力される（ステップＳ２４）。
【００５１】
その後、他に再生するコンテンツの有無を確認し（ステップＳ２５）、他に再生するコンテンツがあればステップＳ２１に戻り、無ければ終了となる。
【００５２】
このようにして、第１の実施形態でコピーされたコンテンツが正しく記録されているかをコピー料金を支払う前に確認することができる。
【００５３】
次に、第１の実施形態で記録されたコンテンツのコピー料金精算方法について説明する。
【００５４】
暗号化されたコピー情報及び第１の暗号キーが記録されたＩＣカード４は、例えばソース側ディスクを貸し出したレンタル業者等に持ち込まれ、ＩＣカード４に記録されているコピー情報をもとにコピー料金の精算が行われ、精算後、ＩＣカード４に記録されている第１の暗号キーはロックが解除されてターゲット側ディスクへの書き込みが可能な状態となる。
【００５５】
そのＩＣカード４を、再びユーザーのシステムにセットする事で、ＩＣカード４に記録されている第１の暗号キーをターゲット側ディスクに書き込む。コンテンツの再生に当たっては、ターゲット側ディスクコントローラ６が、ターゲット側ディスク１０に書き込まれた第１の暗号キーと、メディアＩＤを用いて第２の暗号キーを生成し、この第２の暗号キーを用いてターゲット側ディスク１０から再生した暗号化ディジタルコンテンツを復号化することによって、ターゲット側ディスク単体でのコンテンツ再生が可能となる。
【００５６】
第１の実施形態で記録されたコンテンツのコピー料金支払い後の上記再生方法について図５及び図６を用いて説明する。
【００５７】
図５に示すように、ディスクコントローラ６は、ターゲット側ディスク１０からメディアＩＤと第１の暗号キーを読み出す機能と、暗号化されたディジタルコンテンツを再生する機能を有している。
【００５８】
第２の暗号生成器１３は、ターゲット側ディスク１０から読み出した第１の暗号キーとメディアＩＤを用いて第２の暗号キーを生成する機能を有している。
【００５９】
コンテンツ復号器１４は、ターゲット側ディスク１０から再生した暗号化ディジタルコンテンツを第２の暗号キーを用いて復号化する機能を有している。
【００６０】
図６に示すように、ターゲット側ディスクコントローラ６は、ターゲット側ディスク１０からディスク固有のメディアＩＤを読み出し、第２の暗号キー生成器１３に供給する（ステップＳ２０）。
【００６１】
ターゲット側ディスクコントローラ６は、ターゲット側ディスク１０から再生するコンテンツに対応した第１の暗号キーを読み出し、第２の暗号キー生成器１３に供給する（ステップＳ２６）。
【００６２】
第２の暗号キー生成器１３では、供給されたメディアＩＤと第１の暗号キーを用いて第２の暗号キーを生成してコンテンツ復号器１４に供給する（ステップＳ２３）。
【００６３】
ターゲット側ディスク１０から再生された暗号化されたディジタルコンテンツは、コンテンツ復号器１４で第２の暗号キーを用いて復号化されてモニタ等に出力される（ステップＳ２４）。
【００６４】
当該コンテンツの再生が終了すると、他に再生するコンテンツの有無を確認し（ステップＳ２５）、他に再生するコンテンツがあればステップＳ２６に戻り、無ければ終了となる。
【００６５】
ここで本実施形態では、第１の暗号キー及びコピー情報を記録するメディアとしてＩＣカードを用いたが、情報を記録できるカードであれば、磁気カード等他の方式のカードを用いても構わない。
【００６６】
次に、本発明の第２の実施形態にかかるディスク記録再生装置を、コピー時のブロック図である図７およびコピー時のフローチャートである図８を用いて説明する。
【００６７】
ここで第２の実施形態は、第１の実施形態に対して暗号化された第１の暗号キーとコピー情報をＩＣカード４ではなくソース側ディスク９に記録する点が異なっている。すなわち、ソース側ディスクコントローラ５は第１の実施の形態にかかるソース側ディスクコントローラの機能にさらに第３の暗号キーで暗号化された第１の暗号キーと、第３の暗号キーで暗号化されたコピー情報をソース側ディスク９に書き込む機能を有している。
【００６８】
図８におけるステップＳ６までは第１の実施形態と同じであり説明を省略する。ステップＳ６で暗号化された第１の暗号キーは、ソース側のディスクコントローラ５を介してソース側ディスク９に記録される（ステップＳ１１）。
【００６９】
一方、ステップＳ４で記録されたコンテンツの情報として例えばそのコンテンツのタイトル名等、コピー料金を集計するために必要なコピー情報が、コピー情報暗号器８で暗号化され（ステップＳ８）、ソース側のディスクコントローラ５を介してソース側ディスク９に記録される（ステップＳ１２）。
【００７０】
ここで、ステップＳ６及びステップＳ８において第１の暗号キーとコピー情報を、第３の暗号キーを用いて暗号化しているが、これはソース側ディスク９に記録されている第１の暗号キーの不正読み出しやコピー情報の改ざんを防止するために行っているのであって、ソース側ディスク９のセキュリティーが信頼できれば省略しても構わない。
【００７１】
また、ソース側ディスク９に記録された第１の暗号キーはこの時点ではターゲット側ディスクに書き込まれないようにロックがかけられている。
【００７２】
次に、他にコピーするコンテンツの有無を確認し（ステップＳ１０）、他にコピーするコンテンツがあればステップＳ２に戻り、無ければ終了となる。
【００７３】
なお、第２の実施形態において、コピー料金を支払う前にコピーされたコンテンツが正しく記録されているかを確認する方法については、第１の実施形態と同じため説明を省略する。
【００７４】
次に、第２の実施形態で記録されたコンテンツのコピー料金精算方法について説明する。
【００７５】
コピー情報及び暗号化された第１の暗号キーが記録されたソース側ディスク９は、例えばディスクを貸し出したレンタル業者等に返却され、ディスクに記録されているコピー情報をもとにコピー料金の精算が行われ、精算後、ソース側ディスク９に記録されていた第１の暗号キーはロックが解除されてユーザーに提示される。
【００７６】
提示の方法としては、会員カード等に書き込んだり、紙にプリントして提示する等が考えられる。
【００７７】
ユーザーは、提示された第１の暗号キーを自分の記録再生装置に入力する事で、入力された第１の暗号キーがターゲット側ディスクに書き込まれ、ターゲット側ディスク単体でのコンテンツ再生が可能となる。
【００７８】
尚、第２の実施形態で記録されたコンテンツのコピー料金支払い後の再生方法については、第１の実施形態と同じため説明を省略する。
【００７９】
次に、本発明の第３の実施形態にかかるディスク記録再生装置におけるコピー時の機能構成と処理フローを、機能ブロック図である図９と処理フローチャートである図１０を用いて説明する。
【００８０】
この実施の形態では、ディスク記録再生装置は、ソース側ディスクコントローラ５と、ターゲット側ディスクコントローラ６と、第２の暗号キー生成器１と、コンテンツ暗号器２と、プリペイドカードコントローラ１１と、プリペイドカード１２と、ホストコントローラ１５とを有している。
【００８１】
ホストコントローラ１５は、システム全体を制御するもので、以下の説明における各ブロックの動作は全てホストコントローラの指示によるものとする。
【００８２】
ソース側ディスクコントローラ５は、ソース側ディスク９から、コピーするコンテンツに対応した第１の暗号キーを読み出す機能を実現する手段と、コピーするデジタルコンテンツを再生する機能を実現する手段とを有している。
【００８３】
ターゲット側ディスクコントローラ６は、ターゲット側ディスク１０から、ディスク固有のメディアＩＤを読み出す機能を実現する手段と、第２の暗号キーを用いて暗号化されたディジタルコンテンツをターゲット側ディスクに記録する機能を実現する手段と、第一の暗号キーをターゲット側ディスク１０へ書き込む機能を有している。
【００８４】
第２の暗号キー生成器１は、メディアＩＤと第１の暗号キーを用いて第２の暗号キーを生成する働きを有している。
【００８５】
コンテンツ暗号器２は、ソース側ディスク９から再生されたデジタルコンテンツを第２の暗号キーを用いて暗号化する機能を有している。
【００８６】
プリペイドカードコントローラ１１は、コピー情報を用いてコピー料金の計算を行う機能と、プリペイドカード１２からカードの残高を読み出す機能、カード残高が足りるかどうか確認する機能、カード残高が足りない場合は残高不足のメッセージを表示する機能、カード残高が足りている場合、読み出した残高からコピー料金を差し引いて、差し引いた後の残高をプリペイドカード１２に書き込む機能を有している。
【００８７】
プリペイドカード１２は、コピー料金の前払いカードであり、その残高が読み書き可能に格納されている。
【００８８】
図１０において、第３の実施形態についてもフローチャートにおけるステップＳ４までは第１の実施形態と同じであるため説明を省略する。
【００８９】
ステップＳ４で、ソース側ディスク９から再生されたコンテンツが第２の暗号キーで暗号化されてターゲット側ディスク１０に記録された後、プリペイドカードコントローラ１１は、コピー情報を用いてコピー料金の計算を行う（ステップＳ１３）。
【００９０】
プリペイドカードコントローラ１１は、プリペイドカード１２からカードの残高を読み出し（ステップＳ１４）、カード残高が足りるかどうか確認し（ステップＳ１５）、カード残高が足りない場合は残高不足のメッセージを表示して（ステップＳ１９）、処理を終了する。
【００９１】
一方、ステップＳ１５において、カード残高が足りている場合、プリペイドカードコントローラ１１は読み出した残高からコピー料金を差し引いて、差し引いた後の残高をプリペイドカード１２に書き込む（ステップＳ１６）。
【００９２】
次いで、プリペイドカードコントローラ１１は、ソース側ディスクコントローラ５から入力されている第１の暗号キーをターゲット側ディスクコントローラ６に供給し、ターゲット側ディスクコントローラ６は、入力された第１の暗号キーをターゲット側ディスク１０の所定の領域に記録する（ステップＳ１７）。
【００９３】
その後、他にコピーするコンテンツの有無を確認し（ステップＳ１８）、他にコピーするコンテンツがあればステップＳ２に戻り、無ければ終了となる。
【００９４】
尚、第３の実施形態で記録されたコンテンツの再生方法については、第１の実施形態のコピー料金支払い後の再生方法と同じため説明を省略する。
【００９５】
尚、第１乃至第３の実施形態において、第２の暗号キーを第１の暗号キーとメディアＩＤの２つ情報を用いて生成する例を示したが、他の暗号キーを追加した形で第２の暗号キーを生成しても構わない。
【００９６】
【発明の効果】
本発明によれば、ソース側ディスクに記録されているデジタルコンテンツをターゲット側ディスクにコピーする際、少なくともターゲット側ディスクのディスク固有のメディアＩＤと、コンテンツ固有の第１の暗号キーで生成された第２の暗号キーを用いてコンテンツを暗号化して記録し、解読に必要な第１の暗号キーは、コピー情報と共に他の記録媒体に記録され、コピー料金が支払われないとターゲット側ディスクに書き込むことが出来ない為、コピー料金が支払われない不正なコピーを防止することが出来る。
【００９７】
また、コンテンツの暗号化に使用する第２の暗号キーは、ターゲット側ディスクのメディアＩＤを用いて生成されるため、ターゲットディスクの内容を丸ごとメディアＩＤが異なる他のディスクにコピーしても暗号を解読することが出来ず、不正コピーの拡散を防ぐことができる。
【図面の簡単な説明】
【図１】本発明の第１の実施形態におけるコピー時のブロック図
【図２】本発明の第１の実施形態におけるコピー時のフローチャート
【図３】本発明の第１及び第２の実施形態でコピーされたコンテンツをコピー料金支払い前に再生する時のブロック図
【図４】本発明の第１及び第２の実施形態でコピーされたコンテンツをコピー料金支払い前に再生する時のフローチャート
【図５】本発明の第１乃至第３の実施形態でコピーされたコンテンツをコピー料金支払い後に再生する時のブロック図
【図６】本発明の第１乃至第３の実施形態でコピーされたコンテンツをコピー料金支払い後に再生する時のフローチャート
【図７】本発明の第２の実施形態におけるコピー時のブロック図
【図８】本発明の第２の実施形態におけるコピー時のフローチャート
【図９】本発明の第３の実施形態におけるコピー時のブロック図
【図１０】本発明の第３の実施形態におけるコピー時のフローチャート
【符号の説明】
１  第２の暗号キー生成器（暗号化側）
２  コンテンツ暗号器
３  ＩＣカードコントローラ
４  ＩＣカード
５  ソース側ディスクコントローラ
６  ターゲット側ディスクコントローラ
７  キー暗号器
８  コピー情報暗号器
９  ソース側ディスク
１０  ターゲット側ディスク
１１  プリペイドカードコントローラ
１２  プリペイドカード
１３  第２の暗号キー生成器（復号化側）
１４  コンテンツ復号器
１５  ホストコントローラ
【図１】
2004318943.tif 000003
【図２】
2004318943.tif 000004
【図３】
2004318943.tif 000005
【図４】
2004318943.tif 000006
【図５】
2004318943.tif 000007
【図６】
2004318943.tif 000008
【図７】
2004318943.tif 000009
【図８】
2004318943.tif 000010
【図９】
2004318943.tif 000011
【図１０】
2004318943.tif 000012